(57)【要約】【課題】  ブロック積を用途とし、透水フィルターの嵌挿が容易で、製造コスト低価化実現できる水抜パイプ用フィルターキャップを提供すること。【解決手段】円筒内壁断面をテーパー状にした円筒部７と、内挿させた水抜パイプを衝止させ、円筒内周壁に同一断面上で等間隔で突設した突条片３と、透水フィルター２嵌挿側開口部の周縁部より円筒軸心方向に屈曲して連設され、前記突条片３とは開口部からみた円筒内周壁の円周上の位置が重ならない位置で、円筒内周壁に同一断面上で等間隔に配設され、前記突条片３より円周方向で長さが短い突片４と、前記突条片３と前記突片４との円筒軸方向の間隙８に、多数の格子孔を設けたフィルター３２を数枚重ね合わせた透水フィルター２を嵌挿させて前記間隙８に填装させた透水フィルター２とを含む水抜パイプ用フィルターキャップ１により課題解決できた。【選択図】      図３
0003146704.tif 000002
【実用新案登録請求の範囲】
【請求項１】
円筒形状の水抜パイプ用フィルターキャップであって、水抜パイプを内挿させる側の開口部と透水フィルター嵌挿側の開口部を有し、水抜パイプ内挿入側開口部から透水フィルター嵌挿側開口部に向かってテーパー状に円筒内壁断面が狭くなる円筒部と、内挿させた水抜パイプを衝止させ、円筒内周壁に同一断面上で等間隔で突設した突条片と、透水フィルター嵌挿側開口部の周縁部より円筒軸心方向に屈曲して連設され、前記突条片とは開口部からみた円筒内周壁の円周上の位置が重ならない位置で、円筒内周壁に同一断面上で等間隔に配設され、前記突条片より円周方向で長さが短い突片と、前記突条片と前記突片との円筒軸方向の間隙に、多数の格子孔を設けたフィルターを数枚重ね合わせた透水フィルターを嵌挿させて、前記間隙に填装させた透水フィルターと、を含むことを特徴とする水抜パイプ用フィルターキャップ。
【請求項２】
円筒形状の水抜パイプ用フィルターキャップであって、水抜パイプを内挿させる側の開口部と透水フィルター嵌挿側の開口部を有し、水抜パイプ内挿側開口部から透水フィルター嵌挿側開口部に向かってテーパー状に円筒内壁断面が狭くなる円筒部と、内挿させた水抜パイプを衝止させ、円筒内周壁に同一断面上で等間隔で突設した３枚の幅狭の突条片と、透水フィルター填装側開口部の周縁部より円筒軸心方向に屈曲して連設され、前記突条片とは開口部からみた円筒内周壁の円周上の位置が重ならない位置で、かつ開口部からみた円周方向の前記突条片との間隙が０．１ｍｍから１０ｍｍ、好ましくは０．５ｍｍから３ｍｍで、円筒内周壁に同一断面上で等間隔に配設され、前記突条片より円周方向で長さが短い３枚の幅狭の突片と、前記突条片と前記突片との円筒軸方向の間隙で、該間隙が透水フィルターの厚さより０．１ｍｍから５ｍｍ好ましくは０．１ｍｍから１ｍｍ広い間隙に、多数の格子孔を設けたフィルターを２枚から６枚、好ましくは３〜４枚重ね合わせた透水フィルターを嵌挿させて、前記間隙に填装させた透水フィルターと、を含むことを特徴とする水抜パイプ用フィルターキャップ。
【考案の詳細な説明】
【技術分野】
【０００１】
本考案は、ブロック積の背面にある土砂の水抜きを行う水抜パイプに使用する土砂吸出し防止用フィルターに関するものである。
【背景技術】
【０００２】
従来は、ブロック積やコンクリート擁壁の双方を対象として、ブロック積やコンクリート擁壁の背面にある土砂の水抜き用の水抜きパイプを保持する水抜パイプインナー保持具２１が使用されている。
【０００３】
図１０又は図１１において説明する。前記水抜パイプインナー保持具２１は、水抜パイプ６に内挿される水抜パイプインナー保持具２１であって、内挿される保持具２１の形状は、中央を大径にして且つ両端を小径にして２つのテーパー面を突き合わせた略太鼓状外周面を有し、該内挿される保持具２１の内周壁には透水フィルター２を抜き止めし填装させる突設した突条２２が設置されて、該保持具２１のインナーコンパネ２３への当接側は、筒部外に突出した基板２４であって、該基板２４には格子孔枠の幅を３〜４ｍｍとした格子孔２５が形成されており、該基板部２４のフランジにインナーコンパネ２３に打ち込む釘挿通用の円筒台部２６を筒部と平行に複数個突設した形状を有し、突設した突条２２と多数の格子孔の設けられた基板２４との間隙に透水フィルター２を填装している構造をしている（例えば、実用新案登録文献１参照。）。
【０００４】
実用新案登録文献１に開示された水抜パイプインナー保持具２１の用途は、ブロック積やコンクリート擁壁に使用されており、コンクリート擁壁の場合は、特定の範囲のコンクリート擁壁に対し設置するすべての水抜パイプインナー保持具２１などをインナーコンパネ２３などに締結した後にコンクリートを流し込む作業をしており、ブロック積の場合は、ブロックを１段積んだ後に水抜パイプインナー保持具などを載置しモルタルを充填した後に、２段目のブロックを積み水抜パイプインナー保持具２１を載置しモルタルを充填するという作業を繰り返している。
【０００５】
【特許文献１】実用新案登録第３０１４４８１号公報
【考案の開示】
【考案が解決しようとする課題】
【０００６】
ブロック積１０に水抜パイプインナー保持具２１などを使用する場合には、１段ずつブロック１１を積み上げていくので、コンクリートを流し込んで擁壁を形づくるためのインナーコンパネ２３を使用しないことから、インナーコンパネ２３に水抜パイプインナー保持具２１を締結するための釘が不要となり、これにより保持具に備わっている基板部の釘挿通用の円筒台部２６が不要であるという問題があった。
【０００７】
また、中央を大径にし且つ両端を小径にして２つのテーパー面を突き合わせた略太鼓状外周面を有し、基板には格子孔枠の幅を３〜４ｍｍとした格子孔２５を成形するため、多くの作業工数を要し、多くの材料を要するのでコストがかかるという問題があった。
【０００８】
さらに、透水フィルター２を嵌挿の際に、水抜パイプインナー保持具２１の一方は開口されているが、もう一方は格子形状の基板２４が障壁となって開口部を塞いだ形となるため、基板２４に当接させながら透水フィルター２を嵌挿するので、透水フィルター２を嵌挿しにくいという問題があった。
【０００９】
本考案の目的は、ブロック積１０を用途とする透水フィルターキャップ１であって、施工の際に透水フィルター２の嵌挿が容易で作業工数の短縮ができ、かつ製造コストの低コスト化を実現できる水抜パイプ用フィルターキャップ１を提供することにある。
【課題を解決するための手段】
【００１０】
本明細書及び実用新案登録請求の範囲において、突条片３及び突片４に記載した「幅狭」とは、円筒の内周壁面から円筒軸心に向かっての高さが、３ｍｍ〜１５ｍｍ、好ましくは５ｍｍ〜１０ｍｍまでで、前記高さが低いことを意味する。
【００１１】
本考案において、「円周上の位置」とは、円筒の形状を円状と捉えられる方向からみた円筒の内径の円周上の位置を意味し、「重ならない」とは、円筒の形状を略円状と捉えられる方向である開口部からみたときに、突条片３と突片４との間に間隙があることを意味する。
【００１２】
本考案において、「開口部からみた」とは、水抜パイプ用フィルターキャップ１に透水フィルター２を嵌挿する側の略円形状の開口部又は水抜パイプ６を内挿させる側の略円形状の開口部からみることを意味する。
【００１３】
請求項１に記載の水抜パイプ用フィルターキャップ１の考案は、円筒形状の水抜パイプ用フィルターキャップ１であって、水抜パイプ６を内挿させる側の開口部と透水フィルター２嵌挿側の開口部を有し、水抜パイプ６内挿入側開口部から透水フィルター２嵌挿側開口部に向かってテーパー状に円筒内壁断面が狭くなる円筒部７と、内挿させた水抜パイプ６を衝止させ、円筒内周壁に同一断面上で等間隔で突設した突条片３と、透水フィルター２嵌挿側開口部の周縁部より円筒軸心方向に屈曲して連設され、前記突条片３とは開口部からみた円筒内周壁の円周上の位置が重ならない位置で、円筒内周壁に同一断面上で等間隔に配設され、前記突条片３より円周方向で長さが短い突片４と、前記突条片３と前記突片４との円筒軸方向の間隙８に、多数の格子孔を設けたフィルター３２を数枚重ね合わせた透水フィルター２を嵌挿させて、前記間隙に填装させた透水フィルター２と、を含むことを特徴とする。
【００１４】
請求項２に記載の水抜パイプ用フィルターキャップ１の考案は、円筒形状の水抜パイプ用フィルターキャップ１であって、水抜パイプ６を内挿させる側の開口部と透水フィルター２嵌挿側の開口部を有し、水抜パイプ６内挿側開口部から透水フィルター２嵌挿側開口部に向かってテーパー状に円筒内壁断面が狭くなる円筒部７と、内挿させた水抜パイプ６を衝止させ、円筒内周壁に同一断面上で等間隔で突設した３枚の幅狭の突条片３と、透水フィルター２填装側開口部の周縁部より円筒軸心方向に屈曲して連設され、前記突条片３とは開口部からみた円筒内周壁の円周上の位置が重ならない位置で、かつ開口部からみた円周方向の前記突条片３との間隙９が０．１ｍｍから１０ｍｍ、好ましくは０．５ｍｍから３ｍｍで、円筒内周壁に同一断面上で等間隔に配設され、前記突条片３より円周方向で長さが短い３枚の幅狭の突片４と、前記突条片３と前記突片４との円筒軸方向の間隙８で、該間隙８が透水フィルターの厚さより０．１ｍｍから５ｍｍ好ましくは０．１ｍｍから１ｍｍ広い間隙８に、多数の格子孔を設けたフィルター３２を２枚から６枚、好ましくは３〜４枚重ね合わせた透水フィルター２を嵌挿させて、前記間隙８に填装させた透水フィルター２と、を含むことを特徴とする。
【考案の効果】
【００１５】
請求項１に記載の水抜きパイプ用フィルターキャップ１の考案は、略太鼓状外周部及び格子孔２５を設けた基板２４を設けず、円筒形に数枚の突条片３及び突片４を設けた形状となるので、作業工数の短縮及び材料の減量が実現可能となり、材料コストを含み製造コストの低減を実現させ、かつ製品としての軽量化を実現できるという効果がある。
【００１６】
また、水抜きパイプ用フィルターキャップ１の内周面をテーパー状にしているので、水抜きパイプ６を内挿すると、キャップ内周面部に水抜きパイプ６の端部の外周部が全周に亘って密着するので、水抜きパイプ６を長期間使用しても抜けにくいという効果がある。
【００１７】
透水フィルター２を嵌挿のときに、嵌挿すべき位置の手前には、幅狭の突片４が３カ所設けてあるのみで、基板のような開口部を塞ぐ構造を有していないため、かつ開口部からみた円周上の位置において突片４と突条片３が重ならないため、透水フィルター２の嵌挿が容易にできるという効果がある。
【００１８】
格子孔枠の幅を３〜４ｍｍで格子孔２５を形成した基板２４を不要としたことで開口部の透水面積が拡大することにより、開口部を通過する水量が増加するため、排水効率が向上するという効果がある。
【００１９】
突条片及び突片との円筒軸方向の間隙を、略透水フィルターの厚みとするので、嵌挿した透水フィルターが倒れることがなく円筒軸方向に対し略直角姿勢の状態を維持できるという効果がある。
【００２０】
請求項２に記載の水抜きパイプ用フィルターキャップ１の考案は、請求項１に記載の考案と同じ効果がある。
【考案を実施するための最良の形態】
【００２１】
まず、図２乃至図７において、水抜パイプフィルターキャップ１の構造を説明する。
【００２２】
水抜パイプフィルターキャップ１は、水抜パイプキャップ５と透水フィルター２とから構成されている。
【００２３】
水抜パイプフィルターキャップ１の正面図である図２において、突片４が円周上を等間隔に３箇所配設され、前記突片４の奥側には突片４に触接して透水フィルター２が填装されている。
【００２４】
透水フィルター２の直径は、円筒部７の内径とほぼ同じ大きさであるが、手前に存する突片４が幅狭で円周方向の長さが短いため、透水フィルター２の嵌挿が容易にできる。
【００２５】
図２における水抜パイプフィルターキャップ１のＡ―Ａ断面を表している図３において、多数の格子孔を設けたフィルター３２を数枚重ね合わせた透水フィルター２が突条片３と突片４との間隙８に填装されており、前記間隙８が略透水フィルター２の厚みと略同一のため、填装した透水フィルター２は倒れることがなく円筒軸方向に対し略直角姿勢の状態である。
【００２６】
次に、透水フィルター２を嵌挿する前の水抜パイプキャップ５の正面図を表す図４において、水抜パイプキャップ５は、透水フィルター２嵌挿側の円周縁部より円筒軸心方向に屈曲して連設され、３箇所に等間隔で配設された突片４と、該突片４の奥側に円筒内周壁に同一断面上で３箇所に等間隔に配設され、前記突片とは開口部からみた円筒内周壁の円周上の位置が重ならない位置で、前記突片４より円周方向で長さが長い突条片３と、円筒部７とから構成されている。
【００２７】
図４における水抜パイプキャップ５のＢ―Ｂ断面を表している図５において、突条片３と突片４との円筒軸方向の間には間隙８が存している。
【００２８】
また、水抜パイプキャップ５を水抜パイプ６内挿側の開口部側からみた図６において、３箇所に配設された突条片３と３箇所に配設された突片４とが、水抜パイプ内挿側の開口部からみた円周上で重ならないように配設されてある。
【００２９】
水抜パイプフィルターキャップ１に水抜パイプ６を内挿させた図７において、円筒部７は水抜パイプ６内挿入側開口部から透水フィルター２嵌挿側開口部に向かってテーパー状に円筒内壁断面が狭くなっており、内挿させた水抜パイプ６は突条片３により衝止する。
【００３０】
［使用状態］
次に、図１において、ブロック積１０に設置された水抜パイプフィルターキャップ１等の使用状態を説明する。
【００３１】
ブロック積１０は、ブロック１１と、道路側１２と土砂側１３を連通するように設置させた水抜パイプ６及び水抜パイプフィルターキャップ１と、前記ブロック１１と水抜パイプ６及び水抜パイプフィルターキャップ１との間隙を充填するモルタル１４とから構成されている。
【００３２】
前記水抜パイプ６及び水抜パイプフィルターキャップ１を設置することにより、土砂側１３に存する土砂と水などのうち、水のみが水抜パイプフィルターキャップ１を透過して水抜パイプ６内を流れて道路側１２に流出する。
【００３３】
［設置方法］
図８又は図９において、水抜パイプ６を内挿した水抜パイプフィルターキャップ１の設置方法を説明する。
【００３４】
まず、地面上にブロック１１を各ブロック１１間にモルタル１４を充填しながら列置し、１段目のブロック１１を列置し終えたら、２段目のブロック１１を水抜パイプ６が載置可能な間隙１６を確保しながら列置し、前記間隙１６に水抜パイプ６を内挿した水抜パイプフィルターキャップ１を載置する。
【００３５】
水抜パイプフィルターキャップ１の透水フィルター２嵌挿側開口部と水抜パイプ６の水抜パイプフィルターキャップ１側でない開口部とを、それぞれ覆い隠すように密着させてモルタル防止板１５を取り付け、その後、２段目に積んだブロック１１の上部の高さまで、ブロック１１と水抜パイプ６を内挿させた水抜パイプフィルターキャップ１との間隙１６にモルタル１４を充填する。
【００３６】
モルタル１４を充填した後、モルタル防止板１５を叩いて取り外す。
【００３７】
以上の作業を繰り返して、ブロック積１０を完成させる。
【００３８】
次に、実施例を挙げて本考案を説明するが、本考案は実施例により限定されるものでない
【実施例】
【００３９】
図４又は図５において、水抜パイプキャップ５は、円筒形状であって、水抜パイプ６を内挿させる側の開口部と透水フィルター２嵌挿側の開口部を有し、水抜パイプ６内挿側開口部から透水フィルター２嵌挿側開口部に向かってテーパー状に円筒内壁断面が狭くなる円筒部７を有し、内挿させた水抜パイプ６を衝止させ、円筒内周壁に同一断面上で等間隔で突設した３枚の幅狭の突条片３を有し、透水フィルター２嵌挿側の開口部の円周縁部より円筒軸心方向に屈曲して連設され、３箇所に等間隔で配設された突片４を有しており、かつ、開口部からみて円筒内周壁の円周方向で、突条片３と突片４との間隙９を０．５ｍｍとした。
【００４０】
図４において、透水フィルター嵌挿作業を容易にするために、突片４の円周方向の長さは、突条片３の円周方向の長さより短くした。
【００４１】
図３において、水抜パイプキャップ５は、前記突条片３と前記突片４との円筒軸方向の間隙８を、該間隙が透水フィルターの厚さ３１より０．５ｍｍ広い間隙とした。
【００４２】
図３において、水抜パイプフィルターキャップ１に嵌挿する透水フィルター２は、多数の格子孔を設けたフィルター３２を４枚重ね合わせたものを透水フィルター２とした。
【００４３】
以上より、水抜パイプ６を内挿させる側の開口部と透水フィルター２填装側の開口部を有し、水抜パイプ６内挿入側開口部から透水フィルター２填装側開口部に向かってテーパー状に円筒内壁断面が狭くなる円筒部７と、内挿させた水抜パイプ６を衝止させ、円筒内周壁に同一断面上で等間隔で突設した３枚の幅狭の突条片３と、透水フィルター２填装側開口部の周縁部より円筒軸心方向に屈曲して連設され、前記突条片３とは開口部からみた円筒内周壁の円周上の位置が重ならない位置で、かつ開口部からみた円周方向の前記突条片３との間隙９が０．５ｍｍで、円筒内周壁に同一断面上で等間隔に配設され、前記突条片３より円周方向で長さが短い３枚の幅狭の突片４と、前記突条片３と前記突片４との円筒軸方向の間隙８で、該間隙８が透水フィルター２の厚さより０．５ｍｍ広い間隙に、多数の格子孔を設けたフィルター３１を４枚重ね合わせた透水フィルター２を嵌挿させ、填装させた透水フィルター２とを含む水抜用フィルターキャップを造る。
【図面の簡単な説明】
【００４４】
【図１】ブロック積の概要図である。
【図２】水抜パイプフィルターキャップの正面図である。
【図３】図２における水抜パイプフィルターキャップのＡ−Ａ断面図である。
【図４】水抜パイプキャップの正面図である。
【図５】図４における水抜パイプキャップのＢ−Ｂ断面図である。
【図６】水抜パイプキャップを水抜パイプ内挿側開口部側からみた図である。
【図７】水抜パイプフィルターキャップに水抜パイプを内挿させた図である。
【図８】ブロック積の概要図である。
【図９】図８におけるブロック積のＣ−Ｃ断面図である。
【図１０】従来の水抜パイプインナー保持具である。
【図１１】図１０においてインナーコンパネ２３を外した状態で、Ｄ方向から見た従来の水抜パイプインナー保持具の基板の図である。
【符号の説明】
【００４５】
１      水抜パイプ用フィルターキャップ
２      透水フィルター
３      突条片
４      突片
５      水抜パイプ用キャップ
６      水抜パイプ
７      円筒部
８      円筒軸方向の間隙
９      円周方向の突状片と突片との間隙
１０    ブロック積
１１    ブロック
１２    道路側
１３    土砂側
１４    モルタル
１５    モルタル防止板
１６    ブロックや水抜パイプフィルターキャップ等間の間隙
２１    水抜パイプインナー保持具
２２    突条
２３    インナーコンパネ
２４    基板
２５    格子孔
２６    円筒台部
３１    透水フィルターの厚さ
３２    多数の格子孔を設けたフィルター
【図１】
0003146704.tif 000003
【図２】
0003146704.tif 000004
【図３】
0003146704.tif 000005
【図４】
0003146704.tif 000006
【図５】
0003146704.tif 000007
【図６】
0003146704.tif 000008
【図７】
0003146704.tif 000009
【図８】
0003146704.tif 000010
【図９】
0003146704.tif 000011
【図１０】
0003146704.tif 000012
【図１１】
0003146704.tif 000013
【手続補正書】
【提出日】平成20年9月17日(2008.9.17)
【手続補正２】
【補正対象書類名】明細書
【補正対象項目名】０００３
【補正方法】変更
【補正の内容】
【０００３】
図１０又は図１１において説明する。前記水抜パイプインナー保持具２１は、水抜パイプ６に内挿される水抜パイプインナー保持具２１であって、内挿される保持具２１の形状は、中央を大径にして且つ両端を小径にして２つのテーパー面を突き合わせた略太鼓状外周面を有し、該内挿される保持具２１の内周壁には透水フィルター２を抜き止めし填装させる突設した突条２２が設置されて、該保持具２１のインナーコンパネ２３への当接側は、筒部外に突出した基板２４であって、該基板２４には格子孔枠の幅を３〜４ｍｍとした格子孔２５が形成されており、該基板部２４のフランジにインナーコンパネ２３に打ち込む釘挿通用の円筒台部２６を筒部と平行に複数個突設した形状を有し、突設した突条２２と多数の格子孔の設けられた基板２４との間隙に透水フィルター２を填装している構造をしている（例えば、特許文献１参照。）。
【手続補正３】
【補正対象書類名】明細書
【補正対象項目名】０００４
【補正方法】変更
【補正の内容】
【０００４】
特許文献１に開示された水抜パイプインナー保持具２１の用途は、ブロック積やコンクリート擁壁に使用されており、コンクリート擁壁の場合は、特定の範囲のコンクリート擁壁に対し設置するすべての水抜パイプインナー保持具２１などをインナーコンパネ２３などに締結した後にコンクリートを流し込む作業をしており、ブロック積の場合は、ブロックを１段積んだ後に水抜パイプインナー保持具などを載置しモルタルを充填した後に、２段目のブロックを積み水抜パイプインナー保持具２１を載置しモルタルを充填するという作業を繰り返している。